【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
略円柱状をなす工具本体と、
前記工具本体の先端部に、短辺および長辺を有する上面と、着座面と、側面とを備えるチップ本体で構成され、前記側面と前記上面とで形成される交差稜に短辺切刃と長辺切刃が設けられる第１および第２のチップと、
を備えるとともに、
前記第１のチップは前記長辺切刃を外周刃として、前記短辺切刃を底刃として前記工具本体に取り付けられ、かつ前記第２のチップは前記長辺切刃を底刃として、前記短辺切刃を外周刃として前記工具本体に取り付けられるスローアウェイエンドミルであって、
前記第１のチップにおいて、前記底刃は、前記工具本体の先端面視において中央部に向かって漸次低くなる凹形状を有するとともに、
該底刃に沿って前記上面に設けられたブレーカ壁と、
前記上面において該ブレーカ壁と前記底刃との間に位置するとともに該底刃に沿って形成され、かつ前記着座面側に窪んだ凹部と、
が形成されており、
前記ブレーカ壁は、前記工具本体の先端面視において、当該ブレーカ壁の上端と前記底刃との前記チップ本体の厚み方向における幅が最も広くなる部分に、当該ブレーカ壁の上端と前記凹部の底との前記チップ本体の厚み方向における幅が最も広くなる幅広部を有し、
前記底刃における両端部のすくい角は、該底刃の他の部分より大きいことを特徴とするスローアウェイエンドミル。
【請求項２】
前記請求項１に記載のスローアウェイエンドミルの前記第１のチップとして用いられるチップであって、
上面と着座面と側面を備えるチップ本体と、
前記上面と前記側面とで形成される交叉稜に設けられるとともに、中央部に向って漸次低くなる凹形状を有する切刃と、
該切刃に沿って前記上面に設けられるブレーカ壁と、
前記上面において該ブレーカ壁と前記切刃との間に位置するとともに該切刃に沿って形成され、かつ前記着座面側に窪んだ凹部と、
を備えており、
前記ブレーカ壁は、前記切刃側の側面視において、当該ブレーカ壁の上端と前記切刃との前記チップ本体の厚み方向における幅が最も広くなる部分に、当該ブレーカ壁の上端と前記凹部の底との前記チップ本体の厚み方向における幅が最も広くなる幅広部を有し、
前記切刃の両端部におけるすくい角は、当該切刃の他の部分よりも大きいことを特徴とするスローアウェイエンドミル用チップ。
【請求項３】
前記ブレーカ壁は、前記切刃側の側面視で、前記載置面からの高さが最も高い頂点を前記幅広部に有するとともに、当該頂点から両端部に向かって前記載置面からの高さが漸次低くなることを特徴とする請求項２に記載のスローアウェイエンドミル用チップ。
【請求項４】
前記凹部の底は、前記ブレーカ壁の幅広部に対応する位置が最も低くなることを特徴とする請求項２又は３に記載のスローアウェイエンドミル用チップ。
【請求項５】
前記ブレーカ壁は、上面視において、該ブレーカ壁の幅広部に向って前記切刃に漸次近づく凸形状を有することを特徴とする請求項２乃至４のいずれかに記載のスローアウェイエンドミル用チップ。
【請求項６】
前記チップは、前記ブレーカ壁と、該ブレーカ壁を基準に前記切刃の反対方向に当該ブレーカ壁から離れるにつれて前記チップ本体の前記着座面に対する高さが漸減する傾斜面と、を備えるブレーカ突起部を備えることを特徴とする請求項２乃至５のいずれかに記載のスローアウェイエンドミル用チップ。
【手続補正２】
【補正対象書類名】明細書
【補正対象項目名】０００７
【補正方法】変更
【補正の内容】
【０００７】
前記課題を解決するため本発明のスローアウェイエンドミルは、略円柱状をなす工具本体と、該工具本体の先端部に、短辺および長辺を有する上面と、着座面と、側面とを備えるチップ本体で構成され、前記側面と前記上面とで形成される交差稜に短辺切刃と長辺切刃が設けられる第１および第２のチップと、を備えるとともに、前記第１のチップは前記長辺切刃を外周刃として、前記短辺切刃を底刃として前記工具本体に取り付けられ、かつ前記第２のチップは前記長辺切刃を底刃として、前記短辺切刃を外周刃として前記工具本体に取り付けられるスローアウェイエンドミルであって、前記第１のチップにおいて、前記底刃は、前記工具本体の先端面視において中央部に向かって漸次低くなる凹形状を有するとともに、該底刃に沿って前記上面に設けられたブレーカ壁と、前記上面において該ブレーカ壁と前記底刃との間に位置するとともに該底刃に沿って形成され、かつ前記着座面側に窪んだ凹部と、が形成されており、前記ブレーカ壁は、前記工具本体の先端面視において、当該ブレーカ壁の上端と前記底刃との前記チップ本体の厚み方向における幅が最も広くなる部分に、当該ブレーカ壁の上端と前記凹部の底との前記チップ本体の厚み方向における幅が最も広くなる幅広部を有し、前記底刃における両端部のすくい角は、該底刃の他の部分より大きいことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、本発明のスローアウェイエンドミル用チップは、上述したいずれかのスローアウェイエンドミルの前記第１のチップとして用いられるチップであって、上面と着座面と側面を備えるチップ本体と、前記上面と前記側面とで形成される交叉稜に設けられるとともに、中央部に向って漸次低くなる凹形状を有する切刃と、該切刃に沿って前記上面に設けられるブレーカ壁と、前記上面において該ブレーカ壁と前記切刃との間に位置するとともに該切刃に沿って形成され、かつ前記着座面側に窪んだ凹部と、を備えており、前記ブレーカ壁は、前記切刃側の側面視において、当該ブレーカ壁の上端と前記切刃との前記チップ本体の厚み方向における幅が最も広くなる部分に、当該ブレーカ壁の上端と前記凹部の底との前記チップ本体の厚み方向における幅が最も広くなる幅広部を有し、前記切刃の両端部におけるすくい角は、当該切刃の他の部分よりも大きいことを特徴とする。
【手続補正１５】
【補正対象書類名】明細書
【補正対象項目名】００２１
【補正方法】変更
【補正の内容】
【００２１】
かかる構成によれば、このスローアウェイエンドミル用チップを前記第１のチップとして用いることで、本発明のスローアウェイエンドミルについての前述の作用を得ることができる。
【手続補正１６】
【補正対象書類名】明細書
【補正対象項目名】００２２
【補正方法】変更
【補正の内容】
【００２２】
また、ある実施態様においては、前記ブレーカ壁は、前記切刃側の側面視で、前記載置面からの高さが最も高い頂点を前記幅広部に有するとともに、当該頂点から両端部に向かって前記載置面からの高さが漸次低くなることを特徴とする
また、ある実施態様においては、前記凹部の底は、前記ブレーカ壁の幅広部に対応する位置が最も低くなることを特徴とする。
【手続補正１７】
【補正対象書類名】明細書
【補正対象項目名】００２４
【補正方法】変更
【補正の内容】
【００２４】
また、ある実施態様においては、前記ブレーカ壁は、上面視において、該ブレーカ壁の幅広部に向って前記切刃に漸次近づく凸形状を有することを特徴とする。
【手続補正１８】
【補正対象書類名】明細書
【補正対象項目名】００２６
【補正方法】変更
【補正の内容】
【００２６】
また、ある実施態様においては、前記チップは、前記ブレーカ壁と、該ブレーカ壁を基準に前記切刃の反対方向に当該ブレーカ壁から離れるにつれて前記チップ本体の前記着座面に対する高さが漸減する傾斜面と、を備えるブレーカ突起部を備えることを特徴とする。